(57)【要約】【課題】燃料電池システムのアイドル停止状態において、燃料電池の劣化を抑制できる燃料電池システムの制御方法を提供する。【解決手段】燃料電池システムの制御方法であって、燃料電池システムのアイドル停止を許可するアイドル停止許可工程Ｓ１０１と、燃料電池システムのアイドル停止を許可した場合に、酸化剤オフガス循環手段を駆動しながら、酸化剤オフガス内に残存する酸素を消費してディスチャージを行う停止時ディスチャージ工程Ｓ１０３と、を有することを特徴としている。【選択図】図２
2014137887.tif 000002
【特許請求の範囲】
【請求項１】
アノードに燃料ガスが供給されカソードに酸化剤ガスが供給されて発電を行う燃料電池と、
前記アノードに供給される前記燃料ガスが通流する燃料ガス供給路と、
前記アノードから排出される燃料オフガスが通流する燃料オフガス排出路と、
前記カソードに供給される前記酸化剤ガスが通流する酸化剤ガス供給路と、
前記カソードから排出される酸化剤オフガスが通流する酸化剤オフガス排出路と、
前記酸化剤ガス供給路と、前記酸化剤オフガス排出路とを接続する酸化剤オフガス循環路と、
前記酸化剤ガスを前記カソードに供給する酸化剤ガス供給手段と、
前記酸化剤オフガス循環路に配設されて、前記酸化剤オフガスを循環させる酸化剤オフガス循環手段と、
前記燃料電池で発電した電力を蓄電する蓄電手段と、
燃料電池システムを起動および停止するときに操作されるシステムスイッチと、
を備えた燃料電池システムの制御方法であって、
前記燃料電池システムのアイドル停止を許可するアイドル停止許可工程と、
前記燃料電池システムのアイドル停止を許可した場合に、前記酸化剤オフガス循環手段を駆動しながら、前記酸化剤オフガス内に残存する酸素を消費してディスチャージを行う停止時ディスチャージ工程と、
を有することを特徴とする燃料電池システムの制御方法。
【請求項２】
請求項１に記載の燃料電池システムの制御方法であって、
前記蓄電手段の残容量が所定下限値未満となったときに、前記燃料電池システムのアイドル停止状態を解除することを特徴とする燃料電池システムの制御方法。
【請求項３】
請求項１または２に記載の燃料電池システムの制御方法であって、
前記燃料電池システムは、前記酸化剤ガス供給路および前記酸化剤オフガス排出路にそれぞれ封止弁を備え、
各前記封止弁により前記酸化剤ガス供給路および前記酸化剤オフガス排出路を封止した状態で、前記停止時ディスチャージ工程を行うことを特徴とする燃料電池システムの制御方法。
【請求項４】
請求項１から３のいずれか１項に記載の燃料電池システムの制御方法であって、
前記燃料ガス供給路と、前記燃料オフガス排出路とを接続する燃料オフガス循環路と、
前記燃料オフガス循環路に配設されて、前記燃料オフガスを循環させる燃料オフガス循環手段と、
を備え、
前記停止時ディスチャージ工程では、前記燃料オフガス循環手段を駆動して行うことを特徴とする燃料電池システムの制御方法。
【請求項５】
請求項１から４のいずれか１項に記載の燃料電池システムの制御方法であって、
前記燃料電池システムは、
前記燃料電池システムのアイドル停止状態を解除したときに、前記アノード側の燃料ガス濃度を予測する燃料ガス濃度予測手段と、
前記燃料オフガスを排出するための排出弁と、
を備え、
前記燃料電池システムのアイドル停止状態を解除した後、前記燃料電池による発電を開始する前に、前記燃料ガス濃度に応じて前記排出弁を開放するか否かを判断することを特徴とする燃料電池システムの制御方法。
【請求項６】
請求項１から５のいずれか１項に記載の燃料電池システムの制御方法であって、
前記燃料電池システムのアイドル停止状態において、前記システムスイッチがオフされた場合には、前記アノード側に前記燃料ガスを所定圧力となるまで封入した後に前記燃料電池システムを停止することを特徴とする燃料電池システムの制御方法。
【請求項７】
請求項１から６のいずれか１項に記載の燃料電池システムの制御方法であって、
前記燃料電池システムのアイドル停止状態において、前記システムスイッチがオフされた場合であって、かつ前記蓄電手段の残容量が所定下限値未満である場合には、前記燃料電池による発電を行って前記蓄電手段に蓄電を行い、前記蓄電手段の残容量が前記所定下限値以上となったときに前記燃料電池システムを停止することを特徴とする燃料電池システムの制御方法。
【請求項８】
請求項１から７のいずれか１項に記載の燃料電池システムの制御方法であって、
前記停止時ディスチャージ工程の実行中に前記システムスイッチがオフされた場合には、前記停止時ディスチャージ工程が終了した後に、前記燃料電池システムを停止することを特徴とする燃料電池システムの制御方法。
【発明の詳細な説明】
【技術分野】
【０００１】
この発明は、燃料電池システムの制御方法に関するものである。
【背景技術】
【０００２】
燃料電池には、例えば固体ポリマーイオン交換膜等からなる固体高分子電解質膜をアノードとカソードとで両側から挟み込み、さらにその外側を一対のセパレータで挟持して形成されたセルを複数積層して構成されたスタックからなるものがある。このものは、各セルのアノードに燃料ガスとして水素ガスを供給し、カソードに酸化剤ガスとして酸素を含む空気を供給して発電を行っている。
また、このような燃料電池を搭載した燃料電池車両には、所定の条件が満たされた場合に、燃料電池での発電を一時的に停止するアイドル停止（以下、「燃料電池システムのアイドル停止」という。）を行うことで燃費の向上を図るものが知られている。
【０００３】
ところで、この種の燃料電池では、上記燃料電池システムのアイドル停止を含む燃料電池の発電停止時において、燃料電池内に残存するアノード側の水素ガスが固体高分子電解質膜を透過してカソード側へ、また、カソード側の空気中の酸素が固体高分子電解質膜を透過してアノード側へ拡散する、いわゆるクロスオーバーが生じることが知られている。このクロスオーバーが生じると、固体高分子電解質膜の近くで反応ガスが電気化学反応し、固体高分子電解質膜が劣化するおそれがある。このため、燃料電池の発電を停止する際には、燃料電池のカソード側に残存する酸素を消費して酸素濃度を低下させ、窒素リッチな雰囲気にする必要がある。
【０００４】
例えば、特許文献１には、燃料ガスおよび酸化ガス（酸化剤ガス）の供給を受けて当該燃料ガスおよび酸化ガスの電気化学反応により電力を発生する燃料電池を有する燃料電池システムであって、燃料電池の間欠運転（燃料電池システムのアイドル停止状態）時に、燃料電池システムにおける燃料ガス漏れの有無を判定する漏れ判定手段と、酸化ガスの供給を停止させて燃料電池の出力電流を徐々に減少させていく開回路電圧回避処理を実行する回避処理実行手段と、を備えた燃料電池システムが開示されている。特許文献１に記載の燃料電池システムによれば、燃料電池の間欠運転時において、酸化ガスの供給を停止させて燃料電池の出力電流を徐々に減少させていく開回路電圧回避処理が終了した後に、燃料ガス漏れの有無を判定することができるため、燃料電池の出力電圧が開回路電圧に到達してしまうことを防止することができ、燃料電池の劣化を抑制させることができるとされている。
【先行技術文献】
【特許文献】
【０００５】
【特許文献１】特開２００９−９３９１８号公報
【発明の概要】
【発明が解決しようとする課題】
【０００６】
しかし、従来技術にあっては、燃料電池システムのアイドル停止状態において、酸化剤ガスの供給を停止させているため、セル近傍の酸素のみが消費され、カソード側の酸化剤ガスの通流路内には多量の酸素が残存する。この残存した酸素が、固体高分子電解質膜を透過してカソード側に侵入した水素ガスと固体高分子電解質膜の面上で局所的に反応し、固体高分子電解質膜を劣化させるおそれがある。したがって、燃料電池の劣化を抑制させる点で改善の余地がある。
【０００７】
そこで本発明は、上述した事情に鑑みてなされたものであって、燃料電池システムのアイドル停止状態において、燃料電池の劣化を抑制できる燃料電池システムの制御方法の提供を課題とする。
【課題を解決するための手段】
【０００８】
上記の課題を解決するため、請求項１に記載の燃料電池システム（例えば、実施形態における燃料電池システム１）の制御方法は、アノード（例えば、実施形態におけるアノード２ａ）に燃料ガスが供給されカソード（例えば、実施形態におけるカソード２ｂ）に酸化剤ガスが供給されて発電を行う燃料電池（例えば、実施形態における燃料電池２）と、前記アノードに供給される前記燃料ガスが通流する燃料ガス供給路（例えば、実施形態における燃料ガス供給路３２）と、前記アノードから排出される燃料オフガスが通流する燃料オフガス排出路（例えば、実施形態における燃料オフガス排出路３６）と、前記カソードに供給される前記酸化剤ガスが通流する酸化剤ガス供給路（例えば、実施形態における酸化剤ガス供給路４１）と、前記カソードから排出される酸化剤オフガスが通流する酸化剤オフガス排出路（例えば、実施形態における酸化剤オフガス排出路４７）と、前記酸化剤ガス供給路と、前記酸化剤オフガス排出路とを接続する酸化剤オフガス循環路（例えば、実施形態における酸化剤オフガス循環路７５）と、前記酸化剤ガスを前記カソードに供給する酸化剤ガス供給手段（例えば、実施形態におけるエアポンプ４２）と、前記酸化剤オフガス循環路に配設されて、前記酸化剤オフガスを循環させる酸化剤オフガス循環手段（例えば、実施形態における酸化剤オフガス循環ポンプ７６）と、前記燃料電池で発電した電力を蓄電する蓄電手段（例えば、実施形態における高圧バッテリ１１）と、燃料電池システムを起動および停止するときに操作されるシステムスイッチ（例えば、実施形態におけるシステムスイッチ５）と、を備えた燃料電池システムの制御方法であって、前記燃料電池システムのアイドル停止を許可するアイドル停止許可工程（例えば、実施形態におけるアイドル停止許可工程Ｓ１０１）と、前記燃料電池システムのアイドル停止を許可した場合に、前記酸化剤オフガス循環手段を駆動しながら、前記酸化剤オフガス内に残存する酸素を消費してディスチャージを行う停止時ディスチャージ工程（例えば、実施形態における停止時ディスチャージ工程Ｓ１０３）と、を有することを特徴としている。
【０００９】
本発明によれば、燃料電池システムのアイドル停止を許可した場合に、酸化剤オフガス循環手段を駆動しながら、酸化剤オフガス内に残存する酸素を消費してディスチャージを行う停止時ディスチャージ工程を有するので、カソード側の酸化剤ガス供給路、酸化剤オフガス排出路および酸化剤オフガス循環路内に残存する酸素の消費を促進できる。これにより、燃料電池システムのアイドル停止状態において、カソードの酸素濃度を低下させて窒素リッチな雰囲気にすることができるので、燃料ガスと酸化剤ガスとのクロスオーバーなどにより、固体高分子電解質膜の面上で燃料ガスと酸化剤ガスとが局所的に反応するのを防止できる。したがって、燃料電池システムのアイドル停止状態において、燃料電池の劣化を抑制できる。
【００１０】
また、請求項２に記載の発明は、前記蓄電手段の残容量が所定下限値未満となったときに、前記燃料電池システムのアイドル停止状態を解除することを特徴としている。
【００１１】
本発明によれば、蓄電手段の残容量が所定下限値未満となったときに、燃料電池システムのアイドル停止状態を解除するので、燃料電池の発電を開始するとともに、燃料電池で発電した電力を蓄電手段に蓄電できる。これにより、燃料電池システムの起動時に必要な電力量を確保できるので、次回の燃料電池システムの起動を確実に行うことができる。
【００１２】
また、請求項３に記載の発明は、前記燃料電池システムは、前記酸化剤ガス供給路および前記酸化剤オフガス排出路にそれぞれ封止弁（例えば、実施形態における入口封止弁４５および出口封止弁４８）を備え、各前記封止弁により前記酸化剤ガス供給路および前記酸化剤オフガス排出路を封止した状態で、前記停止時ディスチャージ工程を行うことを特徴としている。
【００１３】
本発明によれば、各封止弁により酸化剤ガス供給路および酸化剤オフガス排出路を封止した状態で、停止時ディスチャージ工程を行うことにより、酸化剤ガス供給路、酸化剤オフガス排出路およびこれらを接続する酸化剤オフガス循環路の封止された各通流路内の酸素のみを消費するだけで、カソードを窒素リッチな雰囲気にすることができる。したがって、酸素を素早く消費して燃料電池の劣化をさらに抑制できる。
【００１４】
また、請求項４に記載の発明は、前記燃料ガス供給路と、前記燃料オフガス排出路とを接続する燃料オフガス循環路（例えば、実施形態における燃料オフガス循環路３９）と、前記燃料オフガス循環路に配設されて、前記燃料オフガスを循環させる燃料オフガス循環手段（例えば、実施形態における燃料オフガス循環ポンプ３０）と、を備え、前記停止時ディスチャージ工程では、前記燃料オフガス循環手段を駆動して行うことを特徴としている。
【００１５】
本発明によれば、燃料オフガス循環手段を駆動して停止時ディスチャージ工程を行うので、アノード側の燃料ガス供給路、燃料オフガス排出路および燃料オフガス循環路内の燃料オフガスを循環させて、早期にカソード側の酸化剤オフガス内の酸素と反応させることができる。これにより、カソード側の酸素を素早く消費できるので、早期に停止時ディスチャージ工程を終了させることができる。また、アノード側の燃料オフガスを循環させることで、アノード側に滞留する生成水の排水性を向上できる。また、燃料オフガスを循環させて供給するので、いわゆるストイキ（燃料電池への供給量／理論消費量）不足を抑制し、ディスチャージの安定性を向上させることができる。
【００１６】
また、請求項５に記載の発明は、前記燃料電池システムは、前記燃料電池システムのアイドル停止状態を解除したときに、前記アノード側の燃料ガス濃度を予測する燃料ガス濃度予測手段（例えば、実施形態における水素濃度予測手段６ａ）と、前記燃料オフガスを排出するための排出弁（例えば、実施形態におけるパージ弁３７）と、を備え、前記燃料電池システムのアイドル停止状態を解除した後、前記燃料電池による発電を開始する前に、前記燃料ガス濃度に応じて前記排出弁を開放するか否かを判断することを特徴としている。
【００１７】
本発明によれば、アノード側の燃料ガス濃度に応じて排出弁を開放するか否かを判断するので、例えば、アノード側の燃料オフガス中に含まれる窒素や水等の不純物が多く燃料ガス濃度が低い場合には、濃度の低い燃料オフガスを外部に排出するとともに、燃料ガスの置換（いわゆるＯＣＶパージ）を行うことができる。したがって、次回の燃料電池システムの起動性を向上させることができる。
【００１８】
また、請求項６に記載の発明は、前記燃料電池システムのアイドル停止状態において、前記システムスイッチがオフされた場合には、前記アノード側に前記燃料ガスを所定圧力となるまで封入した後に前記燃料電池システムを停止することを特徴としている。
【００１９】
本発明によれば、アノード側に燃料ガスを所定圧力となるまで封入した後に燃料電池システムを停止するので、アノードに所定圧力で燃料ガスを保圧でき、アノード側およびカソード側を水素リッチな状態とすることができる。また、燃料電池システムの停止状態（いわゆる「ソーク中」の状態）において、アノード側が負圧となるのを防止できるので、燃料電池システムの外部から燃料電池システムの内部への酸素を含むエア等の導入を防止できる。これにより、アノード側およびカソード側が空気リッチな状態となるのを防止し、燃料電池の発電時における燃料ガス不足に起因した燃料電池の劣化を防止することができる。
【００２０】
また、請求項７に記載の発明は、前記燃料電池システムのアイドル停止状態において、前記システムスイッチがオフされた場合であって、かつ前記蓄電手段の残容量が所定下限値未満である場合には、前記燃料電池による発電を行って前記蓄電手段に蓄電を行い、前記蓄電手段の残容量が前記所定下限値以上となったときに前記燃料電池システムを停止することを特徴としている。
【００２１】
本発明によれば、燃料電池システムのアイドル停止状態において、システムスイッチがオフされた場合に、蓄電手段の残容量が所定下限値以上となったときに燃料電池システムを停止するので、燃料電池システムの起動時に必要な電力量を蓄電手段に確保できる。したがって、次回の燃料電池システムの起動を確実に行うことができる。
【００２２】
また、請求項８に記載の発明は、前記停止時ディスチャージ工程の実行中に前記システムスイッチがオフされた場合には、前記停止時ディスチャージ工程が終了した後に、前記燃料電池システムを停止することを特徴としている。
【００２３】
本発明によれば、停止時ディスチャージ工程が終了した後に、燃料電池システムを停止するので、カソードの酸素濃度を確実に低下させて窒素リッチな雰囲気にすることができる。したがって、燃料電池の劣化を抑制できる。
【発明の効果】
【００２４】
本発明によれば、燃料電池システムのアイドル停止を許可した場合に、酸化剤オフガス循環手段を駆動しながら、酸化剤オフガス内に残存する酸素を消費してディスチャージを行う停止時ディスチャージ工程を有するので、カソード側の酸化剤ガス供給路、酸化剤オフガス排出路および酸化剤オフガス循環路内に残存する酸素の消費を促進できる。これにより、燃料電池システムのアイドル停止状態において、カソードの酸素濃度を低下させて窒素リッチな雰囲気にすることができるので、燃料ガスと酸化剤ガスとのクロスオーバーなどにより、固体高分子電解質膜の面上で燃料ガスと酸化剤ガスとが局所的に反応するのを防止できる。したがって、燃料電池システムのアイドル停止状態において、燃料電池の劣化を抑制できる。
【図面の簡単な説明】
【００２５】
【図１】本発明の実施形態に係る燃料電池システムの概略構成図である。
【図２】燃料電池システムの制御方法のフローチャートである。
【図３】燃料電池システムの制御方法のタイムチャートである。
【発明を実施するための形態】
【００２６】
（燃料電池システム）
以下に、本発明の実施形態に係る燃料電池システムの制御方法について説明する。なお、以下では、まず燃料電池システムの概略構成について説明したあと、燃料電池システムの制御方法について説明する。
図１は、燃料電池システム１の概略構成図である。
図１に示すように、本実施形態の燃料電池システム１は、例えば不図示の燃料電池車両に搭載されるものであり、燃料電池２（図中ではＳＴＫと略す。）と、燃料電池２のアノード２ａに燃料ガスである水素を供給するためのアノード側通流路３と、燃料電池２のカソード２ｂに酸化剤ガスである空気を供給するためのカソード側通流路４と、燃料電池２で発電した電力を蓄電する高圧バッテリ１１（請求項の「蓄電手段」に相当。図中ではＢＡＴと略す。）と、これら各構成品を統括的に制御する制御装置６と、燃料電池システム１を起動および停止するときに、ユーザによって操作されるシステムスイッチ５と、を主に備えている。
【００２７】
燃料電池２は、例えば固体ポリマーイオン交換膜等からなる固体高分子電解質膜２ｃをアノード２ａとカソード２ｂとで両側から挟み込んで形成されたセルを複数積層して構成されており（図示の都合上、図１では単セルのみ示す）、アノード２ａに燃料ガスとして水素を供給し、カソード２ｂに酸化剤ガスとして酸素を含む空気を供給すると、アノード２ａで触媒反応により発生した水素イオンが、固体高分子電解質膜２ｃを通過してカソード２ｂまで移動して、カソード２ｂで酸素と電気化学反応を起こして発電し、水が生成される。
【００２８】
燃料電池２は、高圧バッテリ１１に不図示のコンタクタや電圧調整器（ＶＣＵ）等を介して接続されており、燃料電池２で発電した電気を高圧バッテリ１１に充電可能となっている。燃料電池２と高圧バッテリ１１とは、燃料電池車両の電動モータ１２（図中ではＭと略す。）等の外部負荷に放電可能に接続されている。
【００２９】
（アノード側通流路）
アノード側通流路３は、アノード２ａに供給される燃料ガスが通流する燃料ガス供給路３２と、アノード２ａから排出される燃料オフガスが通流する燃料オフガス排出路３６と、燃料ガス供給路３２と燃料オフガス排出路３６とを接続する燃料オフガス循環路３９と、により形成されている。
燃料ガス供給路３２は、燃料ガスの通流方向の上流側から下流側に向かって、水素供給タンク３１、遮断弁３３、並列に並んだ燃料インジェクタ３４およびエゼクタ７７が順に接続されている。燃料ガス供給路３２は、燃料電池２の入口側で、燃料電池２内においてアノード２ａに面する燃料通流路３５に接続されている。
【００３０】
水素供給タンク３１には、燃料ガスである水素ガスが充填されている。
燃料インジェクタ３４は、制御装置６からの出力信号により駆動が制御され、燃料ガスが燃料ガス供給路３２へ所定の周期で間欠的に供給されて、目標圧力制御で動かされている。これにより、燃料電池２のアノード２ａとカソード２ｂとの間の極間差圧が所定の圧力に保持される。そして、燃料インジェクタ３４から供給された燃料ガスは、燃料通流路３５に供給される。
エゼクタ７７は、燃料オフガス循環路３９を通じて、燃料電池２から排出される燃料オフガスを吸引している。エゼクタ７７は、水素供給タンク３１から供給される新鮮な燃料ガスと燃料オフガスとを合流し、再び燃料電池２の燃料通流路３５に供給している。すなわち、燃料電池２から排出される燃料オフガスは、燃料オフガス排出路３６、燃料オフガス循環路３９、エゼクタ７７および燃料ガス供給路３２を通って、燃料電池２を循環する。
【００３１】
燃料オフガス排出路３６は、燃料通流路３５の出口側に接続されており、燃料電池２で発電に供された燃料オフガスや、発電や凝縮によって燃料電池２で生成された水等が通流する。
燃料オフガス排出路３６における燃料通流路３５の出口側には、キャッチタンク３８が設けられている。キャッチタンク３８は、燃料通流路３５の出口から燃料ガスとともに排出される生成水（液体）を含む水分を捕捉するものである。
【００３２】
燃料オフガス排出路３６は、電磁駆動式のパージ弁３７（請求項の「排出弁」に相当。）を介して希釈ＢＯＸ４０に接続されている。希釈ＢＯＸ４０は、燃料オフガス排出路３６から導入された燃料オフガスが滞留する滞留室（不図示）が内部に設けられるとともに、この滞留室に排出通流路５０が接続されている。すなわち、滞留室内において、燃料オフガスは酸化剤オフガスにより希釈された後、排出通流路５０から車外に排出される。なお、希釈ＢＯＸ４０には、燃料オフガス排出路３６から導入された燃料オフガスの濃度に基づいて、酸化剤オフガスが供給されるようになっている。
【００３３】
燃料オフガス排出路３６におけるパージ弁３７の上流側には、燃料オフガス循環路３９が分岐して設けられている。燃料オフガス循環路３９は、燃料オフガス循環ポンプ３０（請求項の「燃料オフガス循環手段」に相当。図中ではＡｎ／Ｐと略す。）を介して燃料ガス供給路３２のエゼクタ７７に接続されている。
燃料オフガス循環ポンプ３０は、燃料電池２の燃料通流路３５から排出された燃料オフガスの一部を循環させ、水素供給タンク３１から供給された燃料ガスに混合して、燃料電池２のアノード２ａに再び供給する。
【００３４】
（カソード側通流路）
カソード側通流路４は、カソード２ｂに供給される酸化剤ガスが通流する酸化剤ガス供給路４１と、カソード２ｂから排出される酸化剤オフガスが通流する酸化剤オフガス排出路４７と、酸化剤ガス供給路４１と酸化剤オフガス排出路４７とを接続する酸化剤オフガス循環路７５とより形成されている。
酸化剤ガス供給路４１における酸化剤ガスの通流方向の上流側には、図示しないインテークマニホールドに設置されたエアフロセンサ４３（図中ではＡＦセンサと略す。）と、燃料電池２に酸化剤ガスを供給するためのエアポンプ４２（請求項の「酸化剤ガス供給手段」に相当。図中ではＡ／Ｐと略す。）とが、酸化剤ガスの通流方向の上流側から下流側に向かって順に接続されている。
エアポンプ４２は、外部から取り込んだ酸化剤ガス（空気）を所定圧力に加圧し、酸化剤ガス供給路４１を通じて圧送して燃料電池２のカソード２ｂに供給している。
エアフロセンサ４３は、エアポンプ４２によって外部から取り込んだ酸化剤ガス流量を検出し、検出結果の信号を例えば制御装置６に向けて出力する。酸化剤ガス流量は、制御装置６からエアポンプ４２に出力される流量指令値に基づいて制御される。
酸化剤ガス供給路４１のうちエアポンプ４２よりも下流側は、加湿器４４および入口封止弁４５（請求項の「封止弁」に相当。）に順に接続され、燃料電池２の入口側で、カソード２ｂに面する酸化剤通流路４６に接続されている。
【００３５】
酸化剤オフガス排出路４７は、酸化剤通流路４６の出口側に接続されており、燃料電池２で発電に供された酸化剤オフガスや、発電や凝縮によって燃料電池２で生成された水等が通流する。
酸化剤オフガス排出路４７は、酸化剤オフガスの通流方向の上流側から下流側に向かって、出口封止弁４８（請求項の「封止弁」に相当。）、加湿器４４、圧力制御弁４９（図中ではＣＰＣＶと略す。）に順に接続された後、希釈ＢＯＸ４０に接続されている。
【００３６】
入口封止弁４５および出口封止弁４８は、それぞれ電磁駆動式の封止弁であり、入口封止弁４５と出口封止弁４８との間、すなわち酸化剤通流路４６内に酸化剤ガスを封止できるように構成されている。
加湿器４４は、中空糸膜等の水分透過膜を備え、燃料電池２で発電に供されて湿潤になった酸化剤オフガスを加湿用ガスとして用い、エアポンプ４２から送出される酸化剤ガスを加湿する。これにより、燃料電池２に供給する前段で予め酸化剤ガスを加湿することができる。
【００３７】
酸化剤ガス供給路４１における加湿器４４の上流側には、燃料電池バイパス通流路７４が分岐して設けられている。この燃料電池バイパス通流路７４は、燃料電池バイパス弁７３を介して、酸化剤オフガス排出路４７における圧力制御弁４９の下流側に接続されている。
【００３８】
酸化剤オフガス排出路４７における出口封止弁４８の上流側には、酸化剤オフガス循環路７５が分岐して設けられている。酸化剤オフガス循環路７５は、酸化剤オフガス循環ポンプ７６（請求項の「酸化剤オフガス循環手段」に相当。図中ではＣａ／Ｐと略す。）を介して、酸化剤ガス供給路４１における入口封止弁４５の下流側に接続されている。
酸化剤オフガス循環ポンプ７６は、燃料電池２の酸化剤通流路４６から排出された酸化剤オフガスの一部を循環させ、エアポンプ４２から送出される酸化剤ガスに混合して、燃料電池２のカソード２ｂに再び供給する。
【００３９】
システムスイッチ５は、燃料電池システム１を起動（オン）および停止（オフ）するときにユーザにより操作されるスイッチであって、オン／オフ信号を制御装置６に出力する。本実施形態のシステムスイッチ５は、例えば燃料電池車両のイグニッションスイッチである。
【００４０】
制御装置６は、システムスイッチ５から入力したオン／オフ信号に基づいて、燃料電池システム１の起動／停止を制御する。また、制御装置６は、燃料電池２の出力制御等、その制御内容に応じて、エアポンプ４２や酸化剤オフガス循環ポンプ７６、燃料オフガス循環ポンプ３０、入口封止弁４５、出口封止弁４８、圧力制御弁４９、燃料電池バイパス弁７３、インタンク電磁弁２８、遮断弁３３、パージ弁３７、燃料インジェクタ３４、エゼクタ７７等を制御する。
また、制御装置６は、燃料電池システム１のアイドル停止状態を解除したときに、アノード２ａ側の燃料ガス濃度（すなわち水素濃度）を予測する水素濃度予測手段６ａ（請求項の「燃料ガス濃度予測手段」に相当。）を備えている。水素濃度予測手段６ａは、例えば、燃料電池システム１のアイドル停止継続時間に対するアノード２ａ側の水素濃度のデータをマップ化したものである。
【００４１】
（燃料電池システムの制御方法）
上述のように構成された燃料電池システム１において、燃料電池システム１がアイドル停止状態であるときには、燃料電池２の酸化剤オフガス内に残存する酸素を消費するディスチャージを行う。なお、「燃料電池システム１のアイドル停止状態」とは、燃料電池２での発電を一時的に停止している状態をいう。燃料電池２のディスチャージを行うことにより、カソード２ｂ側に残存する酸素の濃度を低下させてカソード２ｂが高電位状態になるのを防止し、燃料電池２の固体高分子電解質膜２ｃの劣化を防止している。以下に、本実施形態に係る燃料電池システム１の制御方法、具体的には、燃料電池システム１のアイドル停止状態におけるディスチャージ制御方法について、フローチャートを用いて詳述する。なお、フローチャートの説明における各部品の符号については、図１を参照されたい。
【００４２】
図２は、燃料電池システム１の制御方法のフローチャートである。
図２に示すように、本実施形態の燃料電池システム１の制御方法は、主に燃料電池システム１のアイドル停止を許可するアイドル停止許可工程Ｓ１０１と、停止時ディスチャージ工程Ｓ１０３と、アイドル停止状態解除判定工程Ｓ１０７と、を有している。以下に、各工程について説明する。なお、図２に示すフローチャートは、燃料電池システム１の制御装置６により行われる処理内容の一工程を示すものである。よって、制御装置６は、図２に示すフローチャートのＳＴＡＲＴからＥＮＤまでの一工程が終了すると、再度ＳＴＡＲＴからの処理を実行し、このフローチャートの処理フローを繰り返し実行する。
【００４３】
（アイドル停止許可工程）
アイドル停止許可工程Ｓ１０１は、第一許可工程Ｓ１０１Ａと、第二許可工程Ｓ１０１Ｂと、を有している。
第一許可工程Ｓ１０１Ａでは、燃料電池システム１のアイドル停止を許可するにあたり、燃料電池車両の状態を判定する。具体的には、高圧バッテリ１１の残容量ＳＯＣが所定上限値ＳＯＣｍａｘに達しているか否か（以下、「高圧バッテリ残容量上限値判定」という。）、燃料電池車両の車速度Ｖがアイドルストップ許可車速度Ｖ１よりも低いか否か（以下、「アイドル停止許可車速度判定」という。）、燃料電池車両のアクセル開度Ａｃがアイドル停止許可アクセル開度Ａｃ１よりも小さいか否か（以下、「アイドル停止許可アクセル開度判定」という。）、の各判定を行う。
【００４４】
高圧バッテリ残容量上限値判定で「ＹＥＳ」と判定した場合には、高圧バッテリ１１の残容量ＳＯＣが所定上限値ＳＯＣｍａｘよりも多く、高圧バッテリ１１の残容量ＳＯＣが十分であるため、燃料電池システム１のアイドル停止を許可できるといえる。
また、アイドル停止許可車速度判定で「ＹＥＳ」と判定した場合には、車速度が低く電動モータ１２による電力消費量が少ないため、燃料電池システム１のアイドル停止を許可できるといえる。
また、アイドル停止許可アクセル開度判定で「ＹＥＳ」と判定した場合においても、車速度が低く電動モータ１２による電力消費量が少ないため、燃料電池システム１のアイドル停止を許可できるといえる。
したがって、高圧バッテリ残容量上限値判定、アイドル停止許可車速度判定およびアイドル停止許可アクセル開度判定のいずれかで「ＹＥＳ」と判定した場合には、第一許可工程Ｓ１０１Ａで「ＹＥＳ」と判定し、第二許可工程Ｓ１０１Ｂに進む。
【００４５】
これに対して、高圧バッテリ残容量上限値判定、アイドル停止許可車速度判定およびアイドル停止許可アクセル開度判定の全てで「ＮＯ」と判定した場合には、第一許可工程Ｓ１０１Ａで「ＮＯ」と判定して、再度第一許可工程Ｓ１０１Ａを行う。
【００４６】
第二許可工程Ｓ１０１Ｂでは、第一許可工程Ｓ１０１Ａで「ＹＥＳ」と判定した状態（すなわち、燃料電池システム１のアイドル停止を許可できる状態）が所定時間経過したか否かの判定を行う。第二許可工程Ｓ１０１Ｂにおいて「ＹＥＳ」と判定した場合には、燃料電池システム１のアイドル停止を許可して停止時ディスチャージ工程Ｓ１０３に進む。
これに対して、第二許可工程Ｓ１０１Ｂにおいて「ＮＯ」と判定した場合には、燃料電池システム１のアイドル停止を許可できないとして、所定時間が経過するまで繰り返しアイドル停止許可工程Ｓ１０１を行う。
【００４７】
（停止時ディスチャージ工程）
停止時ディスチャージ工程Ｓ１０３では、燃料電池システム１のアイドル停止状態において、酸化剤ガス供給路４１、酸化剤オフガス排出路４７および酸化剤オフガス循環路７５により形成されたカソード側通流路４内に残存する酸素を消費して酸素濃度を低下させる。具体的には、酸化剤ガス供給路４１の入口封止弁４５および酸化剤オフガス排出路４７の出口封止弁４８を閉塞した状態で酸化剤オフガス循環ポンプ７６を駆動するとともに、燃料電池２への水素ガスの供給を継続しながら燃料オフガス循環ポンプ３０を駆動する。これにより、アノード２ａ側の燃料ガス供給路３２、燃料オフガス排出路３６および燃料オフガス循環路３９により形成されたアノード側通流路３内の燃料オフガスを循環させて、早期にカソード２ｂ側の酸化剤オフガス内の酸素と反応させることができる。したがって、カソード２ｂ側の酸素を素早く消費できるので、早期に停止時ディスチャージ工程Ｓ１０３を終了させることができる。また、このとき、アノード２ａ側の燃料オフガスを循環させることで、アノード側通流路３内に滞留する生成水をキャッチタンク３８で捕捉できるので、アノード側通流路３内の排水性を向上できる。また、燃料オフガスを循環させて供給するので、いわゆるストイキ不足を抑制し、ディスチャージの安定性を向上させることができる。
【００４８】
なお、停止時ディスチャージ工程Ｓ１０３の実行中に、システムスイッチ５がオフされた場合には、停止時ディスチャージ工程Ｓ１０３が終了した後に、燃料電池システム１を停止する。すなわち、カソード２ｂ側の酸素濃度を確実に低下させ、カソード２ｂおよびカソード側通流路４を窒素リッチな雰囲気としてから、燃料電池システム１を停止している。
【００４９】
ここで、燃料電池システム１のアイドル停止継続状態Ｓ１０５において、システムスイッチ５がオフされた場合には、アノード２ａ側に燃料ガスを封入した後に、燃料電池システム１を停止する。具体的には、アノード２ａの圧力が所定圧力となるように目標圧制御によって燃料インジェクタ３４の開閉駆動を行い、燃料ガスをアノード側通流路３内に供給している。このときの所定圧力は、例えば燃料電池システム１の停止状態（いわゆる「ソーク中」の状態）において、アノード２ａ側が負圧となるのを数時間防止できる程度に適宜設定される。これにより、燃料電池システム１のソーク中において、数時間にわたってアノード２ａ側が負圧となるのを防止できるので、燃料電池システム１の外部から燃料電池システム１の内部への酸素を含むエア等の導入を防止できる。また、燃料電池２内のアノード２ａの燃料ガスは、所定圧力に保圧されるので、アノード２ａ側およびカソード２ｂ側が水素リッチな状態となる。
【００５０】
また、燃料電池システム１のアイドル停止継続状態Ｓ１０５において、システムスイッチ５がオフされた場合であって、かつ高圧バッテリ１１の残容量ＳＯＣが所定下限値ＳＯＣｍｉｎ未満である場合には、燃料電池２による発電を行って高圧バッテリ１１に蓄電を行い、高圧バッテリ１１の残容量ＳＯＣが所定下限値ＳＯＣｍｉｎ以上となったときに燃料電池システム１を停止する。これにより、次回の燃料電池システム１の起動時に必要な電力量が高圧バッテリ１１に確保される。
【００５１】
（アイドル停止状態解除判定工程）
アイドル停止状態解除判定工程Ｓ１０７では、燃料電池システム１のアイドル停止状態を解除するにあたり、燃料電池車両の状態を判定する。具体的には、高圧バッテリ１１の残容量ＳＯＣが所定下限値ＳＯＣｍｉｎ未満か否か（以下、「高圧バッテリ残容量下限値判定」という。）、燃料電池車両の車速度Ｖがアイドルストップ解除車速度Ｖ２よりも高いか否か（以下、「アイドル停止解除車速度判定」という。）、燃料電池車両のアクセル開度Ａｃがアイドル停止解除アクセル開度Ａｃ２よりも大きいか否か（以下、「アイドル停止解除アクセル開度判定」という。）、の各判定を行う。
【００５２】
高圧バッテリ残容量下限値判定で「ＹＥＳ」と判定した場合には、高圧バッテリ１１の残容量ＳＯＣが所定下限値ＳＯＣｍｉｎ未満であるため、燃料電池システム１の再起動に必要な電力を確保するべく、高圧バッテリ１１の電力消費（Ｓ１０５）を停止し、燃料電池システム１のアイドル停止状態を解除する必要がある。
また、アイドル停止解除車速度判定で「ＹＥＳ」と判定した場合には、車速度が高く電動モータ１２による電力消費量が多いため、燃料電池システム１のアイドル停止状態を解除して燃料電池２を再起動する必要がある。
また、アイドル停止解除アクセル開度判定で「ＹＥＳ」と判定した場合においても、車速度が高く電動モータ１２による電力消費量が多いため、燃料電池システム１のアイドル停止状態を解除して燃料電池２を再起動する必要がある。
したがって、高圧バッテリ残容量下限値判定、アイドル停止解除車速度判定およびアイドル停止解除アクセル開度判定のいずれかで「ＹＥＳ」と判定した場合には、アイドル停止状態解除判定工程Ｓ１０７で「ＹＥＳ」と判定し、燃料電池システム１のアイドル停止状態を解除するとともに燃料電池システム１の再起動Ｓ１０９に進む。
【００５３】
これに対して、高圧バッテリ残容量下限値判定、アイドル停止解除車速度判定およびアイドル停止解除アクセル開度判定の全てで「ＮＯ」と判定した場合には、アイドル停止状態解除判定工程Ｓ１０７で「ＮＯ」と判定し、燃料電池システム１のアイドル停止継続状態として高圧バッテリ１１の電力消費を行う（Ｓ１０５）。
【００５４】
燃料電池システム１の再起動Ｓ１０９では、燃料電池２による発電を行う。これにより、高圧バッテリ１１の残容量ＳＯＣを十分に確保するとともに、燃料電池車両を走行することができる。
燃料電池システム１を再起動した時点で、燃料電池システム１のアイドル停止状態におけるディスチャージ制御が終了する。
【００５５】
図３は、上述した燃料電池システム１の制御方法のタイムチャートである。なお、以下の説明における各部品の符号については図１を、各工程については図２を参照されたい。
図３では、タイムチャート開始時においては、アイドル停止許可工程Ｓ１０１の第一許可工程Ｓ１０１Ａにおいて、高圧バッテリ残容量上限値判定、アイドル停止許可車速度判定およびアイドル停止許可アクセル開度判定のいずれかで「ＹＥＳ」と判定した状態を示している。このとき、カソード２ｂ側においては、エアポンプ４２は第一所定回転数で回転しており、入口封止弁４５および出口封止弁４８は開放されており、酸化剤オフガス循環ポンプ７６は所定回転数で回転しており、燃料電池バイパス弁７３は閉塞されている。また、アノード２ａ側においては、遮断弁３３は開放されており、燃料インジェクタ３４は目標圧制御によって開閉駆動されており、パージ弁３７は閉塞されており、燃料オフガス循環ポンプ３０は所定回転数で回転している。これにより、アノード２ａの圧力は所定圧力に保持されている。また、燃料電池２と高圧バッテリ１１とを接続するコンタクタはＯＮ状態となっている。
【００５６】
（タイミングＴ２０１）
所定時間が経過（Ｓ１０１Ｂ）して、タイミングＴ２０１となったときに、停止時ディスチャージ工程Ｓ１０３を開始する。
タイミングＴ２０１では、カソード２ｂ側において、入口封止弁４５および出口封止弁４８を閉塞するとともに、酸化剤オフガス循環ポンプ７６を所定回転数で回転させる。これにより、酸化剤ガス供給路４１、酸化剤オフガス排出路４７および酸化剤オフガス循環路７５の封止されたカソード側通流路４内の酸素を循環させることができる。
また、タイミングＴ２０１では、アノード２ａ側において、遮断弁３３を開放するとともに燃料インジェクタ３４を目標圧制御によって開閉駆動しつつ、燃料オフガス循環ポンプ３０を所定回転数で回転させる。これにより、燃料電池２の燃料通流路３５から排出された燃料オフガスの一部を循環させるとともに、水素供給タンク３１から供給された燃料ガスに混合して、燃料電池２のアノード２ａに再び供給できる。
また、タイミングＴ２０１では、燃料電池２において、停止時ディスチャージ工程Ｓ１０３により電圧が漸次低下するとともに、第一所定電流値のディスチャージ電流が発生する。なお、このとき、電圧調整器（ＶＣＵ）による定電圧制御が行われる。そして、燃料電池２の電圧が所定電圧値に保持されると、ディスチャージ電流は、第一所定電流値よりも低い第二所定電流値に制限される。
【００５７】
（タイミングＴ２０２）
タイミングＴ２０２では、燃料電池システム１のアイドル停止継続状態Ｓ１０５となっている。このとき、酸化剤ガス供給路４１、酸化剤オフガス排出路４７および酸化剤オフガス循環路７５により形成されたカソード側通流路４内に残存する酸素が全て消費されており、燃料電池２にはディスチャージ電流が発生していない。
【００５８】
（タイミングＴ２０３）
タイミングＴ２０２以降、アイドル停止状態解除判定工程Ｓ１０７で「ＹＥＳ」と判定されると、タイミングＴ２０３においてアイドル停止状態を解除し、燃料電池システム１の再起動Ｓ１０９を行う。
ここで、燃料電池システム１の再起動にあたり、制御装置６内の水素濃度予測手段６ａによりアノード２ａ側の水素濃度を予測し、水素濃度に応じてパージ弁３７を開放するか否かを判断する。そして、水素濃度が所定値よりも低い場合には、パージ弁３７を開放して水素濃度の低い燃料オフガスを外部に排出するとともに、燃料インジェクタ３４を目標圧制御によって開閉駆動してアノード側通流路３に燃料ガスを供給し、燃料ガスの置換（いわゆるＯＣＶパージ）を行う。
【００５９】
タイミングＴ２０３において、アノード２ａ側では、上記ＯＣＶパージを行っており、パージ弁３７を開放するとともに、燃料インジェクタ３４を目標圧制御によって開閉駆動している。これにより、アノード２ａ側には高濃度の水素が供給されて、アノード圧力が上昇する。また、タイミングＴ２０３において、カソード２ｂ側では、入口封止弁４５および出口封止弁４８を開放するとともに、酸化剤オフガス循環ポンプ７６を所定回転数で回転させる。これにより、カソード２ｂ側には、酸化剤ガス中の酸素が供給される。これにより、燃料電池２での発電が開始し、燃料電池２の電圧が上昇する。以上で、燃料電池システム１の再起動が終了する。
【００６０】
（効果）
本実施形態によれば、燃料電池システム１のアイドル停止を許可した場合に、酸化剤オフガス循環ポンプ７６を駆動しながら、酸化剤オフガス内に残存する酸素を消費してディスチャージを行う停止時ディスチャージ工程Ｓ１０３を有するので、カソード側の酸化剤ガス供給路４１、酸化剤オフガス排出路４７および酸化剤オフガス循環路７５内に残存する酸素の消費を促進できる。これにより、燃料電池システム１のアイドル停止状態において、カソード２ｂの酸素濃度を低下させて窒素リッチな雰囲気にすることができるので、燃料ガスと酸化剤ガスとのクロスオーバーなどにより、固体高分子電解質膜２ｃの面上で燃料ガスと酸化剤ガスとが局所的に反応するのを防止できる。したがって、燃料電池システム１のアイドル停止状態において、燃料電池２の劣化を抑制できる。
【００６１】
また、高圧バッテリ１１の残容量ＳＯＣが所定下限値ＳＯＣｍｉｎ未満となったときに、燃料電池システム１のアイドル停止状態を解除するので、燃料電池２の発電を開始するとともに、燃料電池２で発電した電力を高圧バッテリ１１に蓄電できる。これにより、燃料電池システム１の起動時に必要な電力量を確保できるので、次回の燃料電池システム１の起動を確実に行うことができる。
【００６２】
また、入口封止弁４５により酸化剤ガス供給路４１を封止し、出口封止弁４８により酸化剤オフガス排出路４７を封止した状態で、停止時ディスチャージ工程Ｓ１０３を行うことにより、酸化剤ガス供給路４１、酸化剤オフガス排出路４７およびこれらを接続する酸化剤オフガス循環路７５の封止された各通流路内の酸素のみを消費するだけで、カソード２ｂを窒素リッチな雰囲気にすることができる。したがって、酸素を素早く消費して燃料電池２の劣化をさらに抑制できる。
【００６３】
また、燃料オフガス循環ポンプ３０を駆動して停止時ディスチャージ工程Ｓ１０３を行うので、アノード２ａ側の燃料ガス供給路３２、燃料オフガス排出路３６および燃料オフガス循環路３９内の燃料オフガスを循環させて、早期にカソード２ｂ側の酸化剤オフガス内の酸素と反応させることができる。これにより、カソード２ｂ側の酸素を素早く消費できるので、早期に停止時ディスチャージ工程Ｓ１０３を終了させることができる。また、アノード２ａ側の燃料オフガスを循環させることで、アノード２ａ側に滞留する生成水の排水性を向上できる。また、燃料オフガスを循環させて供給するので、いわゆるストイキ（燃料電池への供給量／理論消費量）不足を抑制し、ディスチャージの安定性を向上させることができる。
【００６４】
また、アノード２ａ側の燃料ガス濃度に応じてパージ弁３７を開放するか否かを判断するので、例えば、アノード２ａ側の燃料オフガス中に含まれる窒素や水等の不純物が多く燃料ガス濃度が低い場合には、濃度の低い燃料オフガスを外部に排出するとともに、燃料ガスの置換（いわゆるＯＣＶパージ）を行うことができる。したがって、次回の燃料電池システム１の起動性を向上させることができる。
【００６５】
また、アノード２ａ側に燃料ガスを封入した後に燃料電池システム１を停止するので、アノード２ａに所定圧力で燃料ガスを保圧でき、アノード２ａ側およびカソード２ｂ側を水素リッチな状態とすることができる。これにより、アノード２ａ側およびカソード２ｂ側が空気リッチな状態となるのを防止し、燃料電池２の発電時における燃料ガス不足に起因した燃料電池２の劣化を防止することができる。
【００６６】
また、燃料電池システム１のアイドル停止状態において、システムスイッチ５がオフされた場合に、高圧バッテリ１１の残容量ＳＯＣが所定下限値ＳＯＣｍｉｎ以上となったときに燃料電池システム１を停止するので、燃料電池システム１の起動時に必要な電力量を高圧バッテリ１１に確保できる。したがって、次回の燃料電池システム１の起動を確実に行うことができる。
【００６７】
また、停止時ディスチャージ工程Ｓ１０３が終了した後に、燃料電池システム１を停止するので、カソード２ｂの酸素濃度を確実に低下させて窒素リッチな雰囲気にすることができる。したがって、燃料電池２の劣化を抑制できる。
【００６８】
なお、この発明の技術範囲は上記の実施形態に限られるものではなく、本発明の趣旨を逸脱しない範囲において種々の変更を加えることが可能である。
【００６９】
例えば、実施形態では、蓄電手段として高圧バッテリ１１を採用しているが、これに限定されるものではなく、例えばキャパシタ等を採用してもよい。
また、実施形態では、燃料電池システム１が燃料電池車両に搭載されている場合を例に説明をしたが、本発明の燃料電池システム１の制御方法の適用は、燃料電池システム１が燃料電池車両に搭載されている場合に限られない。
【００７０】
その他、本発明の趣旨を逸脱しない範囲で、上記した実施の形態における構成要素を周知の構成要素に置き換えることは適宜可能である。
【符号の説明】
【００７１】
１  燃料電池システム
２  燃料電池
２ａ  アノード
２ｂ  カソード
５  システムスイッチ
６ａ  水素濃度予測手段（燃料ガス濃度予測手段）
１１  高圧バッテリ（蓄電手段）
３０  燃料オフガス循環ポンプ（燃料オフガス循環手段）
３２  燃料ガス供給路
３６  燃料オフガス排出路
３７  パージ弁（排出弁）
３９  燃料オフガス循環路
４１  酸化剤ガス供給路
４２  エアポンプ（酸化剤ガス供給手段）
４５  入口封止弁（封止弁）
４７  酸化剤オフガス排出路
４８  出口封止弁（封止弁）
７５  酸化剤オフガス循環路
７６  酸化剤オフガス循環ポンプ（酸化剤オフガス循環手段）
Ｓ１０１  アイドル停止許可工程
Ｓ１０３  停止時ディスチャージ工程
【図１】
2014137887.tif 000003
【図２】
2014137887.tif 000004
【図３】
2014137887.tif 000005